(57)【特許請求の範囲】
【請求項１】
動画像を入力する入力手段と、
前記動画像が表示されている表示手段の表示画面上の一部に相当する閉じた線分によって定められた領域を指定する指定手段と、
前記領域の内側における前記動画像の変化と前記領域の外側における前記動画像の変化を検知する検知手段と、
前記領域の内側における前記動画像の変化が検知されたことに応答して、前記動画像の記録を開始し、前記領域の外側における前記動画像の変化が検出されたことに応答して、前記動画像の記録を終了する制御手段と
を有することを特徴とする情報処理装置。
【請求項２】
前記動画像は、花の蕾が表示されている動画像であり、前記領域は、前記蕾を囲む閉じた線分によって定められた領域であることを特徴とする請求項１に記載の情報処理装置。
【請求項３】
動画像の記録の開始と終了を制御する情報処理装置の動作方法であって、
動画像を入力する入力工程と、
前記動画像が表示されている表示手段の表示画面上の一部に相当する閉じた線分によって定められた領域を指定する指定工程と、
前記領域の内側における前記動画像の変化と前記領域の外側における前記動画像の変化を検知する検知工程と、
前記領域の内側における前記動画像の変化が検知されたことに応答して、前記動画像の記録を開始し、前記領域の外側における前記動画像の変化が検出されたことに応答して、前記動画像の記録を終了する制御工程と
を有することを特徴とする動作方法。
【請求項４】
請求項３に記載の動作方法をコンピュータに実行させるプログラム。
【発明の詳細な説明】
【技術分野】
【０００１】
本発明は、動画像を入力とする画像編集装置に関する。
【背景技術】
【０００２】
カメラの撮影に際し、操作者であるユーザの意図した画像を取得する為の工夫として様々な方法がある。
【０００３】
静止画撮影においては、動きのある被写体や、撮影操作時の手ぶれやタイミングのずれへの対策として、自動でカメラのシャッターを切るという方法がある。
【０００４】
例えば、指定領域内の測距を行い、予め設定した構図に被写体がおさまった場合に撮影を行うという技術が開示されている（特許文献１）。
【０００５】
また、動画撮影においては、特に監視カメラの分野で、撮影範囲内の変化に応じて監視映像の撮影倍率を変更する技術（特許文献２）や、撮影範囲を変更する技術（特許文献３）が開示されている。
【０００６】
さらに、予め指定する画像と撮影画像の差分を動きベクトルを用いて比較することにより、画像の符号化及び記録の開始と停止を制御する技術がある。（特許文献４）
【特許文献１】特開２００１−２０１６７９公報
【特許文献２】特開２００３−２８４０５３公報
【特許文献３】特開２０００−０５０２３７公報
【特許文献４】特開平１０−２８５５４２公報
【発明の開示】
【発明が解決しようとする課題】
【０００７】
しかしながら、特許文献１乃至３の方法は、静止画の撮影及び動画の記録の開始条件を指定可能とするものであり、ユーザが意図する条件を満たす動画像を必ずしも記録できるものではない。
【０００８】
特許文献４の方法は、画像全面における変化によって制御するものであり、画像内の特定領域における変化に対して条件設定することはできない。
【０００９】
また、撮影画像と比較する画像を予め入力しておく必要があり、さらに、記録の開始と停止を制御する条件として、動きベクトルの差分評価値を閾値で指定する方法は、ユーザの意図する画像を特定するには直感的でなくかつ確実性に欠ける。
【００１０】
すなわち、従来は、ユーザの意図する画像のみを記録する為に、記録開始条件と、終了条件を確実に設定することはできなかった。
【課題を解決するための手段】
【００１１】
本発明はこれらの課題に鑑みてなされたものであり、本発明に係る情報処理装置は、動画像を入力する入力手段と、前記動画像が表示されている表示手段の表示画面上の一部に相当する閉じた線分によって定められた領域を指定する指定手段と、前記領域の内側における前記動画像の変化と前記領域の外側における前記動画像の変化を検知する検知手段と、前記領域の内側における前記動画像の変化が検知されたことに応答して、前記動画像の記録を開始し、前記領域の外側における前記動画像の変化が検出されたことに応答して、前記動画像の記録を終了する制御手段とを有する。
【発明の効果】
【００１２】
本発明によれば、表示画面に表示中の動画像に対して、ユーザが意図する画像の記録の開始と終了を、線分を用いた領域指定という直感的な操作で設定でき、確実にユーザが意図する画像のみを記録できる。
【発明を実施するための最良の形態】
【００１３】
［第１の実施形態］
＜情報処理装置の外観構成＞
本実施形態で共通する情報処理装置のシステム構成について、図１のブロック図を参照して説明する。情報処理装置の構成形態については、一体型に構成される形態であってもよいしネットワークによって個々の装置が接続されている形態でもよい。ネットワークによって構成される場合は、互いに通信可能なようにＬｏｃａｌ  Ａｒｅａ  Ｎｅｔｗｏｒｋ（ＬＡＮ）などで接続されている。
【００１４】
図１において、１０４は画像入力部であり画像表示部１０５に表示される画像を入力する機能を有し、外部に接続されたカメラやビデオカメラなどの撮像装置やサーバ、ハードディスクからの画像データの入力を可能にする。
【００１５】
１０５は当該入力された画像を表示する為の機能を有する画像表示部であり、また、入出力Ｉ／Ｆ部１０１を介して、後述する操作部１０６から入力されたユーザ操作結果を表示する操作画面を兼ねる。
【００１６】
１０６は操作部であり、ユーザの操作を受けてデータを入力するマウスやキーボードに代表されるポインティングデバイスや、タッチパネルに代表されるデジタイザなどの入力デバイスとのインターフェイスである。
【００１７】
１０１は入出力Ｉ／Ｆ部であり、上記画像入力部１０４、画像表示部１０５、操作部１０６は入出力Ｉ／Ｆ部１０１を介してバス１１０と接続され、データの送受信を行う。
【００１８】
１０７はプログラムメモリであり、本実施形態にかかる情報処理方法（後述する図２のフローチャートに示す処理方法）を実現するための制御プログラム１０８が記憶されている。１０９はデータメモリであり、制御プログラム１０８によって処理されるデータが格納されている。１０２は中央演算処理装置（ＣＰＵ）であり、制御プログラム１０８は、当該ＣＰＵ１０２の制御のもと、バス１１０を通じてＲＡＭ１０３に取り込まれ、ＣＰＵ１０２によって実行される。
【００１９】
＜情報処理装置における処理の流れ＞
図２は、本発明の各実施形態で共通する情報処理装置における処理の流れを示すフローチャートである。
【００２０】
情報処理装置が起動されると（Ｓ２０１）、まずステップＳ２０２で画像入力部１０４からの入力をチェックし、入力画像が取得されている場合には、ステップＳ２０３で画像表示手段を起動し、画像表示部１０５に入力画像を表示する。
【００２１】
ステップＳ２０２で入力画像の取得が確認できない場合には、画像入力部１０４からの入力が確認されるまで待機する。
【００２２】
ステップＳ２０３で画像表示部１０５に入力画像が表示されると、ステップＳ２０４で、操作部１０６からの入力をチェックし、入力が確認できない場合は操作部１０６からの入力が確認されるまで待機する。
【００２３】
ステップＳ２０４で操作部１０６からの入力を確認すると、ステップＳ２０５に進み、入力されたユーザ操作が自動記録モードの選択であると判別されると、ステップＳ２０６で、指定手段を起動し、ユーザ操作による指定領域情報を取得すると同時に画像表示部１０５に表示する。ここでいう、自動記録モードの選択方法としては、自動記録モード選択を指示する為の専用ハードキーを設けて、押下することにより選択されるものとしても良い。または、専用ハードキーに代わって、キーボードなどの既存のキーに割り付けるものとしてもよいし、メニューを表示し選択できるようにしてもよい。
【００２４】
続くステップＳ２０７で、記録制御設定手段を起動し、指定手段より取得された指定領域情報に基づき、指定領域の画像に変化があった場合に記録の開始または終了を行うよう記録制御設定を行い、データメモリ１０９に書き込む。
【００２５】
次に、ステップＳ２０８で、検知手段を起動し、ステップＳ２０７で設定された条件に基づいて、検知手段の出力を確認し指定領域と動画像との関係に変化があると確認されるまでステップＳ２０８からステップＳ２０９の処理を繰り返す。ステップＳ２０９で、検知手段の出力に基いて指定領域と動画像との関係に変化があると判断された場合には、ステップＳ２１０で、当該指定領域に設定された記録操作の種類を判別する。ステップＳ２１０で、記録開始であると判別された場合には、ステップＳ２１１に進み、記録開始を実行し、入力画像をデータメモリ１０９に記録する。次に、ステップＳ２０８に戻り、再び検知手段の出力をチェックし、指定領域と動画像との関係に変化があれば（Ｓ２０９）、当該指定領域に設定された記録操作の種類を判別し、記録の終了であった場合はステップＳ２１３で記録の終了処理を行う。
【００２６】
ステップＳ２１３で、記録の終了処理が実行されると、ステップＳ２０３に戻り、自動記録モードは解除される。
【００２７】
なお、自動記録設定モード中であっても、ユーザによる手動操作は常に優先され、操作部１０６より、手動記録操作による入力があった場合には、いつでもステップＳ２１０にとび、手動記録操作に基づく処理を実行する。
【００２８】
ステップＳ２０５でユーザ操作の種類が、自動記録モードの選択でなかった場合には、ステップＳ２１１に進み、手動記録操作であるか否かを判別する。
【００２９】
ここでいう手動記録操作とは、記録開始、終了それぞれを指示する為の専用ハードキーを設けて、押下することにより選択されるものとしてもよいし、１つのキーのＯｎ／Ｏｆｆで記録開始と終了を切替えるようにしてもよい。または、専用ハードキーに代わって、キーボードなどの既存のキーに割り付けるものとしてもよいし、メニューを表示し選択できるようにしてもよい。
【００３０】
ステップＳ２１２で、操作部１０６からの入力が、手動記録操作であると判別された場合には、ステップＳ２１０で、記録操作の種類を判別し、記録開始であった場合には、ステップＳ２１１で画像の記録を開始する。ステップＳ２１０で判別された記録操作の種類が記録終了であった場合には、ステップＳ２１３で画像の記録を終了し、ステップＳ２０３の処理に戻る。
【００３１】
ステップＳ２０５で操作部１０６からの入力が自動記録モードの選択ではなく、かつステップＳ２１２で手動記録操作でもないと判別された場合には、ステップＳ２１４に進み、その他の処理を起動し、ステップＳ２０３に戻る。
【００３２】
なお、ここでは、記録に関する操作以外のその他操作として、早送り、巻き戻し等再生に関する一般的な操作を想定しているが、詳細については説明を省略する。また、情報処理装置の停止は、どのステップからでも実行可能な割り込み処理であるとする。
【００３３】
＜記録制御設定処理の流れ＞
図３は、本実施形態における情報処理装置における記録制御設定処理の流れを示すフローチャートである。
【００３４】
処理が起動されると、ステップＳ３０１で、指定手段から入力された指定領域を判別し、指定領域が閉じた線分でない場合には、ステップＳ３０２の処理に進み、指定領域が閉じた線分である場合には、ステップＳ３０８の処理に進む。
【００３５】
ステップＳ３０２では、指定領域である線分の座標における画像に変化があった場合に記録開始するよう制御する設定情報を指定領域の情報とあわせてデータメモリ１０９に書き込む。
【００３６】
次にステップＳ３０３で、さらに第二の指定領域として第二の線分がある場合には、ステップＳ３０４に進み、第二の線分の座標における画像に変化があった場合に記録終了するように設定しデータメモリ１０９に書き込む。
【００３７】
次にステップＳ３０５で、現在の記録状況をチェックし、画像を記録中である場合には、ステップＳ３０６で、データメモリ１０９の記録開始設定を記録終了設定に書換える。
【００３８】
最後に、ステップＳ３０７で、設定確認処理を起動し、自動記録モードで設定された記録制御設定の内容をダイアログ表示し、ユーザに確認を促す。
【００３９】
ここで、ユーザが設定内容を変更したい場合は、ユーザ操作により変更可能なものとする。なお、設定確認を行わないように、ユーザが予め設定することも可能である。
【００４０】
ステップＳ３０１で、判別された指定領域が閉じた線分であった場合は、同じ線分の座標に対して、記録開始と終了の両方を記録制御設定する。これは、閉じた線分で指定された領域内を被写体が通過するような入力画像を記録するのに有効である。
【００４１】
ステップＳ３０８で、まず線分の座標における画像に変化があった場合に記録開始実行するように設定し、続くステップＳ３０９で、第二の領域として同じ線分の座標における画像に変化があった場合に記録終了するように設定する。
【００４２】
次にステップＳ３０５で、現在の記録状況をチェックし、現在画像を記録中である場合には、ステップＳ３０６でデータメモリ１０９の記録開始設定を記録終了設定に書換える。最後に、ステップＳ３０７で、設定確認処理を起動し、自動記録モードで設定された記録制御設定の内容をダイアログ表示し、ユーザに確認を促す。
【００４３】
図４は、本実施形態における情報処理装置における記録制御設定処理のまた別の例を示すフローチャートである。
【００４４】
処理が起動されると、まずステップＳ４０１で、指定手段から入力された指定領域を判別し、閉じた線分であった場合は、ステップＳ４０８に進み、線分の内側を第一の領域とし、線分の外側を第二の領域として設定する。
【００４５】
次に、ステップＳ４０９で、第一の領域の座標における画像に変化があった場合に記録開始実行し、続くステップＳ４１０で第二の領域の座標における画像に変化があった場合に記録終了するように設定し、データメモリ１０９に書き込む。
【００４６】
次にステップＳ４１１で、表示画面上で、記録の開始領域と終了領域をユーザに提示し、ここでユーザ操作により設定変更があった場合には、ステップＳ４１３で設定を書換えて、第一の領域と第二の領域の設定を入れ替える。すなわち、ステップＳ４０９で記録開始に設定された第一の領域を記録終了とし、ステップＳ４１０で記録終了に設定された第二の領域を記録開始として記録制御設定する。
【００４７】
なおここで、記録の開始と終了を識別できるようユーザに提示する方法としては、設定を記述したダイアログを表示するものであってもよい。
【００４８】
また、Ｓｔａｒｔ，Ｒｅｃ，Ｓｔｏｐなどの、記録の開始や終了を意味する文字または記号の両方または一方を画面上の該当領域に表示することによって提示するものであってもよく、この場合の例を図８の８０１に示す。
【００４９】
またさらに、表示画面の指定領域上に、記録の開始から終了を、方向を示す矢印を表示することによって提示するものであってもよく、この場合の例を図８の８０２に示す。
【００５０】
ステップＳ４０１で判別された指定領域が閉じた線分でない場合には、ステップＳ４０２に進むが、ステップＳ４０２からステップＳ４０７までの処理は、図３のステップＳ３０２からステップＳ３０７までの処理と同一であるので説明を省略する。
【００５１】
＜本発明の実施形態における表示画面の例＞
図５は、本実施形態に係る記録制御手段の一例を示す概念図であり、ここでは、線路を写した動画像が入力されている時に線路上を通過する電車の画像を記録することを想定している。
【００５２】
同図において、５０１は情報処理装置の画像表示部１０５の表示画面であり、画像入力部１０４より入力された動画像が表示されている状態を示す。
【００５３】
５０２は、５０１の画面上で、ユーザ操作に基づいて指定手段より入力された線分５０２ａが表示されている状態を示し、線路上の線分５０２ａの画像に変化が検知された場合に入力画像の記録を開始するよう設定する。
【００５４】
５０３は、５０２の画面のように記録制御設定がなされた後に、入力画像からのデータが変化した画面の状態を示す。
【００５５】
５０３に示すように、５０２で指定された線分５０２ａの領域に電車の先頭部が差しかかると、線分５０２ａの領域と入力画像との関係に変化が検知され、画像の記録が開始される。
【００５６】
また、５０２の画面が表示されている時点で、既にユーザ操作により手動で記録が開始されている場合には、指定手段より入力された線分５０２ａには記録の終了が設定される。この時、線路上の線分５０２ａの領域と入力画像との関係に変化が検知されると、入力画像の記録を終了する。
【００５７】
本実施例では、画像表示部１０５はタッチパネルなど操作部１０６を兼ねる構成とし、画面上で描画操作により指定領域を入力するものとしたが、これに限らずマウス等のポインティングデバイスによって入力操作を行ってもよい。
【００５８】
図６は、本実施形態に係る記録制御手段の一例を示す概念図であり、図５の線分に代わって、閉じた線分によって、指定領域を指定する場合について説明するものである。
【００５９】
ここでは、人物を写した動画像が入力されている時に、閉じた線分で囲まれた指定領域で記録の開始と終了を制御する、すなわち、指定領域内を移動する人物が通過する間の画像を記録することを想定している。
【００６０】
同図において、６０１は情報処理装置の画像表示部１０５の表示画面であり、画像入力部１０４より入力された動画像が表示されている状態を示す。
【００６１】
６０２は、６０１の画面上で、ユーザ操作に基づいて指定手段より入力された閉じた線分６０２ａが表示されている状態を示し、すなわち、閉じた線分６０２ａの画像に変化が検知された場合に入力画像を記録開始するよう設定するものである。
【００６２】
６０３及び６０４は、６０２の画面のように記録制御設定がなされた後に、入力画像からのデータが変化した画面の状態を示す。
【００６３】
６０３に示すように、６０２で閉じた線分として指定された領域６０２ａに移動中の人物が差しかかると、領域６０２ａと入力画像の関係に変化が検知され、画像の記録が開始される。また、６０４に示すように、６０２で閉じた線分として指定された領域６０２ａを移動中の人物が再び通過する時、再び領域６０２ａと入力画像との関係に変化が検知されて、記録が終了される。
【００６４】
図７は、本実施形態に係る記録制御手段のまた別の例を示す概念図であり、図６同様、閉じた線分によって指定領域を指定するものであるが、閉じた線分の内側と外側とで記録の開始と終了の制御を変えるものである。
【００６５】
ここでは、入力された動画像として花の蕾が表示されている時に、画面上で蕾の周囲を閉じた線分で指定し、蕾が開いて花が咲くまでの画像を記録することを想定している。すなわち、指定領域の内側で変化が検知されると記録を開始し、指定領域を超えて、指定領域の外側でも変化が検知された時に記録終了するように記録制御するものである。
【００６６】
同図において、７０１は情報処理装置の画像表示部１０５の表示画面であり、画像入力部１０４より入力された動画像が表示されている状態を示す。
【００６７】
７０２は、７０１の画面上で、ユーザ操作に基づいて指定手段より入力された線分７０２ａが表示されている状態を示し、すなわち、閉じた線分７０２ａの画像に変化が検知された場合に入力画像の記録を開始するよう設定するものである。
【００６８】
７０３は、７０２の画面のように記録制御設定がなされた後に、入力画像からのデータが変化した画面の状態であり、ここでは、７０１の表示画面にあった花の蕾が開いた状態を示している。
【００６９】
図８は、本実施形態に係る記録制御手段における、記録制御設定確認手段によって、記録の開始と終了を識別できるようユーザに提示する方法の例を示すものである。
【００７０】
同図において、８０１および８０２は、表示部１０５に画像入力部１０４より入力された動画像が表示されている表示画面の状態を示し、７０２ａは、指定手段により入力された指定領域を示す。
【００７１】
８０１は、表示画面の指定領域の内側に記録の開始を意味する文字Ｒｅｃ８０１ａを表示することで、領域の内側の画像の変化によって入力画像の記録を開始する記録制御設定であることを、ユーザに提示する例である。
【００７２】
なおこれは、記録の開始を意味するものであれば、文字または記号または図形またはそれらの組合せであってもよく、また記録の終了のみ、または、記録の開始と終了の両方を表示画面上の該当領域に表示するものであってもよい。
【００７３】
８０２は、表示画面の指定領域の内側から外側に向かって矢印８０２ａを表示することで、指定領域の内側での画像の変化によって入力画像の記録を開始する記録制御設定であることを、ユーザに提示する例である。
【００７４】
ユーザが、記録制御設定を変更したい場合には、ユーザーに提示した文字８０１ａや矢印８０２ａ等の記録制御設定確認手段による表示を、選択して移動させることで、設定を変更してもよい。
【００７５】
例えば、指定領域の内側ではなく外側の画像の変化によって記録開始するよう変更したい場合は、文字８０１ａを選択して指定領域７０２ａの外側に移動することで記録制御設定を変更できるようにしてもよい。同様に、矢印８０２ａを選択して矢印の向きを変えることで記録制御設定を変更できるようにしてもよい。
【００７６】
図９は、本実施形態に係る記録制御手段のまた別の例を示す概念図であり、図７同様、閉じた線分によって指定領域を指定して領域の内側と外側で記録の開始と終了の制御を変えるものである。図７との違いは、領域の外側での画像の変化で記録を開始し、内側での画像の変化が終了した時点で、記録を終了する点である。
【００７７】
ここでは、花を写した動画像が入力されている時に、画面上で花の周囲を閉じた線分で指定し、領域の外側で変化が検知された場合、すなわち、蝶々が花の周囲に飛んできてから、花に止まるまでの画像を記録することを想定している。
【００７８】
同図において、９０１は情報処理装置の画像表示部１０５の表示画面であり、画像入力部１０４より入力された動画像が表示されている状態を示す。
【００７９】
９０２は、９０１の画面上で、ユーザ操作に基づいて指定手段より入力された閉じた線分７０２ａが表示されている状態を示し、すなわち、閉じた線分７０２ａの画像に変化が検知された場合に画像の記録を開始するよう設定するものである。
【００８０】
９０３は、９０２の画面のように記録制御設定がなされた後に、入力画像が変化した画面の状態であり、ここでは、９０２の画面の時点では表示されていなかった蝶々が新たに出現し指定領域７０２ａ内に入った状態を示している。
【００８１】
＜実施例１＞
それでは以下に、図５の概念図と図２及び図３のフローチャートを用いて、本実施形態における処理の流れを具体的に説明する。
【００８２】
図５では、線路を写した動画像が入力されている時に線路上を通過する電車の画像を記録することを想定している。
【００８３】
なお、画像入力部１０４により入力される画像は、情報処理装置に接続された、固定のビデオカメラなどの撮像装置から入力される撮影画像であってもよいし、接続された再生装置から入力される動画データであってもよい。
【００８４】
図５において、５０１のように、画像入力部１０４より入力された画像が表示されている時（Ｓ２０３）、ユーザが操作部１０６よりメニュー操作を行い（Ｓ２０４）、自動記録モード選択を行ったものとする（Ｓ２０５）。
【００８５】
この時、表示画面上で操作部１０６を介してユーザが表示画面上に線分５０２ａを入力すると、制御プログラム１０８により指定手段が起動され（Ｓ２０６）、ユーザの入力した指定領域を画面に表示する（５０２）。同時に、指定手段により取得された指定領域の座標データが、データメモリ１０９にテンポラリなデータとして格納される。
【００８６】
次に記録制御設定手段が起動されると、データメモリ１０９に格納された指定領域の座標データを参照し、記録制御設定を行う。
【００８７】
この場合、指定領域は線分一本のみなので（Ｓ３０１）、指定領域である線分の座標において入力画像との関係に変化があった場合に記録開始実行するように記録制御設定する（Ｓ３０２）。
【００８８】
続いて、現在、入力画像データを記録中であるかを確認し（Ｓ３０５）、ここでは既に、記録中であるものとして、線分に対する記録開始設定を記録終了設定にデータメモリ１０９を書換える（Ｓ３０６）。
【００８９】
その後、ユーザに対する設定確認を行い（Ｓ３０７）、操作部１０６より、設定確認に対するユーザの入力を確認すると、当該指定領域に対する記録終了設定をデータメモリ１０９に格納し、記録制御設定手段を終了する。
【００９０】
このようにして図３で説明した記録制御設定手段によって記録制御設定がなされると、検知手段が起動され（Ｓ２０８）、制御プログラム１０８は、検知手段の出力をチェックする（Ｓ２０９）。
【００９１】
その後、入力画像に変化があり５０３に示すような表示画面になると、検知手段により指定領域の入力画像との関係の変化が検知され（Ｓ２０９）、データメモリ１０９に格納された当該指定領域の記録制御設定に基づいて処理を行う。
【００９２】
ここでは、指定領域である線分の座標において入力画像との関係に変化があった場合に記録終了実行するように記録制御設定したものであるので、記録終了と判断し（Ｓ２１０）、記録終了を実行する（Ｓ２１３）。
【００９３】
すなわち、指定領域５０２ａに、電車が差し掛かった時点で、記録が終了される。
【００９４】
なお、自動記録設定モード中であっても、ユーザによる手動操作は常に優先され、手動記録操作による入力があった場合には、いつでも手動記録操作に基づく処理を実行する（Ｓ２１０）。
【００９５】
ここでいう手動記録操作とは、記録開始、終了それぞれを指示する為の専用ハードキーを設けて、押下することにより選択されるものとしてもよいし、１つのキーのＯｎ／Ｏｆｆで記録開始と終了を切替えるようにしてもよい。または、専用ハードキーに代わって、キーボードなどの既存のキーに割り付けるものとしてもよいし、メニューを表示し選択できるようにしてもよい。
【００９６】
本実施例では、記録の終了のみを制御するように説明したが、表示される入力画像において、検知手段により指定領域における入力画像との関係の変化が検知されると記録開始するように設定することも可能である。
【００９７】
また、検知手段により指定領域における入力画像との関係の変化が検知されると記録開始し、変化が検知されなくなると記録終了するよう記録制御設定することも可能である。
【００９８】
その場合、ステップＳ３０２で、指定領域である線分の画像に変化があった場合に記録開始実行し、変化がなくなった場合には記録終了するように設定し、設定情報を指定領域の情報とあわせてデータメモリ１０９に書き込む。
【００９９】
その結果、５０２で指定された表示画面上の線分５０２ａの領域を、電車の先頭が通過する時に、入力画像の記録が開始され、最後部が通過した時に、入力画像の記録が終了される。
【０１００】
なお、本実施例では、一本の線分を指定領域として、記録の開始と終了またはそのいずれかを制御するものとして説明したが、線分を二本使って指定することにより、記録の開始と終了を確実に指定することも可能である。その場合、被写体が特定の区間を通過する間だけを記録する、または記録しないように、より確実に設定することができるという効果がある。
【０１０１】
この場合の例について次に説明する。
ここでは、二本の線分に代わって、閉じた線分による指定領域指定によって、記録の開始と終了を制御する場合について、図６の概念図で示す。
【０１０２】
図６では、人物を写した動画像が入力されている時に、閉じた線分で囲まれた指定領域で記録の開始と終了を制御する、すなわち、指定領域内を移動する人物が通過する間の画像を記録することを想定している。
【０１０３】
なお、画像入力部１０４により入力される画像は、情報処理装置に接続された、固定のビデオカメラなどの撮像装置から入力される撮影画像であってもよいし、接続された再生装置から入力される既に作成された動画データであってもよい。
【０１０４】
図６において、６０１のように、画像入力部１０４より入力された画像が表示されている時（Ｓ２０３）、ユーザが操作部１０６よりメニュー操作を行い（Ｓ２０４）、自動記録モード選択を行ったものとする（Ｓ２０５）。
【０１０５】
この時、表示画面上で操作部１０６を介してユーザが表示画面上に線分６０２ａを入力すると、制御プログラム１０８により指定手段が起動され（Ｓ２０６）、ユーザの入力した指定領域を画面に表示する（６０２）。同時に、指定手段により取得された指定領域の座標データが、データメモリ１０９にテンポラリなデータとして格納される。
【０１０６】
次に記録制御設定手段が起動されると、データメモリ１０９に格納された指定領域の座標データを参照し、記録制御設定を行う。
【０１０７】
この場合、指定領域は閉じた線分であるので（Ｓ３０１）、指定領域である線分の座標における入力画像との関係に変化があった場合に、記録開始実行（Ｓ３０８）と記録終了（Ｓ３０９）の記録制御設定を行う。
【０１０８】
続いて、現在、入力画像データを記録中であるかを確認し（Ｓ３０５）、ここでは、記録中ではないものとして、続く処理として、ユーザに対する設定確認を行う（Ｓ３０７）。
【０１０９】
ここで、操作部１０６より、設定確認に対するユーザの入力を確認すると、当該指定領域に対する記録終了設定をデータメモリ１０９に格納し、記録制御設定手段を終了する。ここでは変更はないものとする。
【０１１０】
このようにして図３で説明した記録制御設定手段によって記録制御設定がなされると、検知手段が起動され（Ｓ２０８）、制御プログラム１０８は、検知手段の出力をチェックする（Ｓ２０９）。
【０１１１】
その後、入力画像に変化があり６０３に示すような表示画面になると、検知手段により指定領域の画像の変化が検知され（Ｓ２０９）、データメモリ１０９に格納された当該指定領域の記録制御設定に基づいて処理を行う。
【０１１２】
ここでは、指定領域である線分の座標において入力画像との関係に変化があった場合に記録開始実行するように記録制御設定したものであるので、記録開始と判断し（Ｓ２１０）、記録開始を実行する（Ｓ２１１）。
【０１１３】
すなわち、指定領域６０２ａに、移動中の人物が差し掛かった時点で、記録が開始され、また、６０４に示すように、領域６０２ａを移動中の人物が再び通過すると、再び領域６０２ａの画像の変化が検知されて、記録が終了される。
【０１１４】
なお、本実施例では、記録の開始と終了の両方を設定し実行するものとして説明したが、記録の開始だけを設定することも、記録の終了だけを設定することも可能である。
【０１１５】
＜実施例２＞
実施例１では、指定領域と入力画像との関係の変化で記録の開始または終了を制御する例について説明したが、本実施例では、指定領域に対して画像の変化の発生する方向により制御する例について説明する。
【０１１６】
すなわち、入力された指定領域が閉じた線分である場合に、指定領域の内側での入力画像の変化が、指定領域を超えて、指定領域の外側までおよぶ場合に、記録の開始と終了を制御するものである。
【０１１７】
それでは以下に、図７の概念図と図４のフローチャートを用いて、本実施形態について処理の流れを具体的に説明する。
【０１１８】
図７では、入力された動画像として花の蕾が表示されている時に、画面上で蕾の周囲を閉じた線分で指定し、蕾が開いた時から、花が開いて指定領域を超えるまでになるまでの画像を記録することを想定している。
【０１１９】
なお、画像入力部１０４により入力される画像は、情報処理装置に接続された、固定のビデオカメラなどの撮像装置から入力される撮影画像であってもよいし、接続された再生装置から入力される動画データであってもよい。
【０１２０】
図７において、７０１のように、画像入力部１０４より入力された画像が表示されている時（Ｓ２０３）、ユーザが操作部１０６よりメニュー操作を行い（Ｓ２０４）、自動記録モード選択を行ったものとする（Ｓ２０５）。
【０１２１】
この時、表示画面上で操作部１０６を介してユーザが表示画面上に線分７０２ａを入力すると、制御プログラム１０８により指定手段が起動され（Ｓ２０６）、ユーザの入力した指定領域を画面に表示する（７０２）。同時に、指定手段により取得された指定領域の座標データが、データメモリ１０９にテンポラリなデータとして格納される。
【０１２２】
次に記録制御設定手段が起動されると、データメモリ１０９に格納された指定領域の座標データを参照し、記録制御設定を行う。
【０１２３】
この場合、指定領域は閉じた線分であるので（Ｓ４０１）、指定領域である線分の内側を第一の領域、線分の外側を第二の領域として設定する（Ｓ４０８）。続いて、第一の領域における画像の変化で記録開始実行するよう設定し（Ｓ４０９）、第二の領域の画像の変化で記録終了するように設定（Ｓ４１０）し、設定情報をデータメモリ１０９に書き込む。
【０１２４】
次に、図８の８０２に示すように、表示画面上で、記録を開始する領域と終了する領域がわかるようにユーザに提示する（Ｓ４１１）。ここでは、閉じた線分の内側から外側に向かって矢印８０２ａを表示することで（８０２）、指定領域の内側の変化によって記録を開始し、指定領域を超えた外側の変化で記録を終了するよう制御設定されていることを示す。
【０１２５】
ここで、操作部１０６より、設定確認に対するユーザの入力を確認すると（Ｓ４１２）、当該指定領域に対する記録終了設定をデータメモリ１０９に格納し、記録制御設定手段を終了する。ここでは変更はないものとする。
【０１２６】
このようにして図４で説明した記録制御設定手段によって記録制御設定がなされると、検知手段が起動され（Ｓ２０８）、制御プログラム１０８は、検知手段の出力をチェックする（Ｓ２０９）。
【０１２７】
その後、入力画像に変化があり７０３に示すような表示画面になると、検知手段により指定領域と入力画像との関係の変化が検知され（Ｓ２０９）、データメモリ１０９に格納された当該指定領域の記録制御設定に基づいて処理を行う。
【０１２８】
ここでは、指定領域７０２ａの内側の画像に変化があった場合に記録開始実行するように記録制御設定したものであるので、記録開始と判断し（Ｓ２１０）、記録開始を実行する（Ｓ２１１）。
【０１２９】
すなわち、指定領域７０２ａの内側にある花の蕾が開き始めた時点で、記録が開始され、また、７０３に示すように、指定領域７０２ａの外側まで花が開くと、再び指定領域７０２ａと入力画像との関係の変化が検知されて記録が終了される。
【０１３０】
なお、本実施例では、指定領域の内側の画像の変化で記録を開始し、指定領域を超えた外側に変化がおよんだ場合に記録を終了するものとしたが、内側と外側の設定を逆にすることも可能である。その場合の例を、図９に示す。
【０１３１】
なお、本実施例では、記録の開始と終了の両方を設定し実行するものとして説明したが、記録の開始だけを設定することも、記録の終了だけを設定することも可能である。さらに、ユーザ操作によって、手動でいつでも記録の開始または終了を指示して実行することが可能である。
【０１３２】
本発明における、動画像を入力する画像入力手段として、本実施形態においては、画像入力部１０４を介して接続されたデジタルカメラやビデオカメラなどの撮像装置から入力されるものとした。但し、本発明の入力手段とはこれに限らず、テレビなどの放送を録画したハードディスクレコーダやビデオレコーダ、ＤＶＤなどに収録されたコンテンツを再生する再生装置であってもよい。本発明における、入力される動画像として、本実施形態においては、接続された撮像装置から入力される撮影画像であるとした。但し、前記入力手段により入力される動画像とはこれに限らず、再生装置から読み出される作成済の動画像データであってもよい。またアナログまたはデジタル形式の映像であってもよく、画像形式は問わないものとする。
【０１３３】
本発明における、表示画面上で領域を指定する指定手段として、第一及び第二の実施形態においては、表示装置に一体に構成されたタッチパネルであるとした。但し、これに限らず、マウスやキーボードなどのポインティングデバイスによって接続された表示装置であってもよいし、また、撮像装置に一体に構成された表示画面であってもよい。
【０１３４】
本発明における、動画像の変化を検知する検知手段とは、本実施形態においては特に指定しないが、フレーム間比較など、一般的な方法によって行うものであるとする。但し、これに限らず、センサー接続可能な構成にして、センサー情報によるものであってもよい。
【０１３５】
本発明における、画像の記録の開始と終了を制御する制御手段とは、本実施形態においては、自動記録モードを用意し、ユーザが自動記録モードを選択することによって実行されるものとした。但し、これに限らず、ユーザによる指定領域の入力があればいつでも自動記録モードに切り替わるようにしてもよい。
【０１３６】
なお本発明の目的は、前述の実施例の機能を実現するソフトウェアのプログラムコードを記録した記憶媒体をシステムや装置に供給し、そのシステムや装置のコンピュータがプログラムコードを読み出し実行することによっても達成される。この場合、記憶媒体から読み出されたプログラムコード自体が前述の実施形態の機能を実現することになり、そのプログラムコードを記憶した記憶媒体は本発明を構成することになる。
【０１３７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１３８】
また、ＬＡＮ（ローカル・エリア・ネットワーク）やＷＡＮ（ワイド・エリア・ネットワーク）等のコンピュータネットワークを、プログラムコードを供給するために用いることができる。
【０１３９】
また、コンピュータが読み出したプログラムコードの指示に基づき、コンピュータ上で稼働しているＯＳ（オペレーティングシステム）等が実際の処理の一部又は全部を行い、該処理によって前述の実施形態の機能が実現される場合も含まれる。
【０１４０】
さらに、次のような場合も考えられる。まず、記憶媒体から読み出されたプログラムコードを、コンピュータに挿入された機能拡張ボードやコンピュータに接続された機能拡張ユニットに備わるメモリに書き込む。そしてそのプログラムコードの指示に基づき、その機能拡張ボードや機能拡張ユニットに備わるＣＰＵなどが実際の処理の一部又は全部を行い、その処理によって前述の実施形態の機能を実現する。
【図面の簡単な説明】
【０１４１】
【図１】図１は、本発明の各実施形態に共通する情報処理装置の全体構成を示すブロック図である。
【図２】図２は、本発明の各実施形態に共通する情報処理装置における処理手順を示したフローチャートである。
【図３】図３は、本発明の実施形態における記録制御設定手段の処理手順を説明するフローチャートである。
【図４】図４は、本発明の実施形態における記録制御設定手段の処理手順を説明するフローチャートである。
【図５】図５は、本発明の実施形態において、指定領域を入力して記録制御設定する場合の表示画面の例を示す概念図である。
【図６】図６は、本発明の実施形態において、指定領域を入力して記録制御設定する場合の表示画面のまた別の例を示す概念図である。
【図７】図７は、本発明の実施形態において、指定領域を入力して記録制御設定する場合の表示画面の例を示す概念図である。
【図８】図８は、本発明の実施形態において、指定領域を入力して記録制御設定する場合に、記録制御設定情報をユーザに提示する表示画面の例を示す概念図である。
【図９】図９は、本発明の実施形態において、指定領域を入力して記録制御設定する場合の表示画面のまた別の例を示す概念図である。
【符号の説明】
【０１４２】
１０１  入出力Ｉ／Ｆ部
１０２  ＣＰＵ
１０３  ＲＡＭ
１０４  画像入力部
１０５  画像表示部
１０６  操作部
１０７  プログラムメモリ
１０８  制御プログラム
１０９  データメモリ
１１０  バス
５０１〜５０４，６０１〜６０４，７０１〜７０３，８０１〜８０２，９０１〜９０３  表示画面
５０２ａ，６０２ａ，７０２ａ  ユーザ操作により入力された指定領域
８０１ａ，８０２ａ  ユーザーに提示された記録制御設定確認表示
【図１】
0004777157.tif 000002
【図２】
0004777157.tif 000003
【図３】
0004777157.tif 000004
【図４】
0004777157.tif 000005
【図５】
0004777157.tif 000006
【図６】
0004777157.tif 000007
【図７】
0004777157.tif 000008
【図８】
0004777157.tif 000009
【図９】
0004777157.tif 000010